(57)【要約】【課題】  単純な構造でありながら遮断・流通の確実な切換・確実な混合比の変更調整を実現させ得る湯水混合弁を提供する。【解決手段】  ハウジング２の他端壁２１１の内面２１３に軸Ｘを挟んで対称位置に水入口孔２３と湯入口孔２４を開口させ、これに相対向するよう円盤状の弁体４を軸Ｘ回りに回転駆動されるように混合室３内に配設する。弁体前面に水入口孔と湯入口孔の一方開口を全閉にする凸平面４２１と、他方開口を全開にする凹平面４２２とを形成し、凸平面から周方向両側に一様傾斜で凹平面まで連続する斜面を形成する。背圧導入孔７３ａ，７３ｂを通して、湯水の供給圧をピストン部材７４ａ，７４ｂに背圧として導入し、供給圧をキャンセルさせる。ピストン部材からの押圧力をボール部材８３，８３，…を介して弁体に伝達させて摩擦切りする。【選択図】      図１
2008138824.tif 000002
【特許請求の範囲】
【請求項１】
ハウジング内に区画形成された混合室と、この混合室を構成するハウジング壁の内面に開口する水入口孔及び湯入口孔と、これら水入口孔及び湯入口孔を覆い得る大きさで中心軸回りに回転駆動される円盤状の弁体とを備え、
上記水入口孔及び湯入口孔は上記中心軸を挟んで対称位置で開口するように配置され、
上記弁体は、上記水入口孔及び湯入口孔に相対向する前面に、上記ハウジング壁の内面に密接して上記水入口孔及び湯入口孔の一方開口を全閉状態に閉止する凸平面と、上記ハウジング壁の内面から中心軸方向に離れて他方開口を全開状態で上記混合室と連通させる凹平面とが上記中心軸を挟んで対称配置に形成され、かつ、上記凸平面から周方向両側に一様傾斜で上記凹平面まで連続する斜面がそれぞれ形成されている、
ことを特徴とする湯水混合弁。
【請求項２】
請求項１記載の湯水混合弁であって、
上記凸平面と、凹平面とは、上記中心軸を中心として点対称になる扇形領域にそれぞれ形成されている、湯水混合弁。
【請求項３】
請求項１又は請求項２に記載の湯水混合弁であって、
上記弁体に対し水入口孔及び湯入口孔から作用する湯・水の供給圧を少なくともキャンセルするように背圧を作用させる背圧手段をさらに備え、
上記背圧手段は、上記弁体の後面に対し上記中心軸の軸方向に相対向するように配置された２以上のピストン部材と、上記水入口孔及び湯入口孔からの湯・水の供給圧を上記ピストン部材に対し背圧として導入する背圧導入孔とを備えている、湯水混合弁。
【請求項４】
請求項３に記載の湯水混合弁であって、
上記弁体が回転駆動される際に発生する摩擦力を軽減抑制する摩擦切り手段をさらに備え、
上記摩擦切り手段は、上記ピストン部材の側からの背圧を上記弁体の側に対し点接触状態で伝達する少なくとも３つのボール部材を備えている、湯水混合弁。
【発明の詳細な説明】
【技術分野】
【０００１】
本発明は、湯と水とを所定の混合比で混合するために用いられる湯水混合弁に関する。
【背景技術】
【０００２】
従来、この種の湯水混合弁として、それぞれが起伏揺動するバタフライ式の一対の弁体と、この一対の弁体を起伏揺動させて湯と水との流入口の弁座と接触・離反させることにより、湯と水との流入を個別に閉じて遮断したり開いて流通させたりし得るようにしたものが知られている（例えば特許文献１参照）。
【０００３】
又、湯と水との流入口をそれぞれ球体を用いた弁体により塞ぎ、これら一対の弁体をカム部材を用いて流入口側に押圧して閉じたり、押圧を緩和して開いたりし得るようにしたものも知られている（例えば特許文献２参照）。
【０００４】
【特許文献１】特開平６−９４１４５号公報
【特許文献２】特開２００１−４０５１号公報
【発明の開示】
【発明が解決しようとする課題】
【０００５】
本発明と対比される湯水混合弁を図６に示す。この湯水混合弁は、ハウジング２００内に、湯が流入する湯入口２０１に連通する湯導入室２０２と、水が流入する水入口２０３に連通する水導入室２０４と、これら湯導入室２０２及び水導入室２０４に挟まれた中間位置に混合室２０５とが区画形成され、その混合室２０５には混合後の湯水が導出される出口２０６が連通されている。一方、上記ハウジング２００内には、先端側に円柱形状の弁体２０７を固定したシャフト２０８が、上記湯導入室２０２、混合室２０５及び水導入室２０４をこの順に貫通して配設され、上記弁体２０７が上記混合室２０５内に配置された状態でシャフト２０８の軸方向に往復動可能に配設されている。シャフト２０８の基端側にはネジ部２０９とセレーション部２１０とが形成され、モータ６００の回転駆動力がそのセレーション部２１０を介してシャフト２０８に伝達され、シャフト２０８が軸回りに回転作動されることにより上記ネジ部２０９を介してシャフト２０８が軸方向に往復動可能とされている。この往復動により上記弁体２０７がシャフト２０８の軸方向に移動して湯導入室２０２と混合室２０５との間の流通を遮断したり（図６に実線で示す状態参照）、逆に水導入室２０４と混合室２０５との間の流通を遮断したり、あるいは、両者の流通を許容したりして、湯と水との混合を可能とし、かつ、その弁体２０７の軸方向位置の調整により湯導入室２０２と混合室２０５との間を流通させる開度と、水導入室２０４と混合室２０５との間を流通させる開度との互いの変更調整を可能にして、湯・水の混合比の変更調整が可能とされている。
【０００６】
ところが、このような湯水混合弁の場合には、湯水混合の機能を確実に果たさせる上で、弁体２０７の両端部の弁部２０７ａ，２０７ｂの外径と、この弁部が着座する弁座内径との両者間で厳格な寸法精度や組み付け位置精度が要求されるため、例えばいずれかの真円度が狂っていたり、あるいは、シャフト２０８の軸に対する弁体２０７の同軸度がずれていたりすると、弁体２０７の噛み込みや漏れが発生するおそれを招くことになる。そして、このような噛み込みや漏れという現象が生じると、湯水の混合比も制御上の目標から意図しない値にずれてしまい、正確な混合比を実現させ得なくなる。
【０００７】
加えて、このような現象は、上記の特許文献にて提案されているようなカム部材を用いて弁体を作動させるような場合にも生じ易くなる。
【０００８】
本発明は、このような事情に鑑みてなされたものであり、その目的とするところは、単純な構造でありながら確実な遮断、遮断・流通の確実な切換、及び、確実な混合比の変更調整を実現させ得る湯水混合弁を提供することにある。
【課題を解決するための手段】
【０００９】
上記目的を達成するために、本発明では、ハウジング内に区画形成された混合室と、この混合室を構成するハウジング壁の内面に開口する水入口孔及び湯入口孔と、これら水入口孔及び湯入口孔を覆い得る大きさで中心軸回りに回転駆動される円盤状の弁体とを備えたものとする。そして、上記水入口孔及び湯入口孔を、上記中心軸を挟んで対称位置で開口するように配置する。加えて、上記弁体として、上記水入口孔及び湯入口孔に相対向する前面に、上記ハウジング壁の内面に密接して上記水入口孔及び湯入口孔の一方開口を全閉状態に閉止する凸平面と、上記ハウジング壁の内面から中心軸方向に離れて他方開口を全開状態で上記混合室と連通させる凹平面とを、上記中心軸を挟んで対称配置に形成し、かつ、上記凸平面から周方向両側に一様傾斜で上記凹平面まで連続する斜面をそれぞれ形成したものとした(請求項１)。
【００１０】
本発明の場合、例えば凸平面で水入口孔を全閉状態に塞ぎ、凹平面で湯入口孔を全開状態にすると、水が限りなく０％で湯が１００％の混合比となる。この状態から弁体を中心軸回りに回転させていくと、水入口孔の開口にはこれを覆っていた凸平面から斜面が相対向することになって水が混合室に流入し始め、回転が進む程、上記斜面と開口との距離が大になることから水の流入量も増加することになる。逆に、湯入口孔の開口には凹平面から斜面が相対向することになって斜面と湯入口孔との距離が徐々に小になることから湯の流入量が減少することになる。このように弁体の回転位置変換によって混合室に流入する水と湯との比率が変化して混合室内の湯・水の混合比も変化していくことになる。その際、上記斜面は一様傾斜とされているため、回転量に対する湯・水の混合比の変化量が一定となり、回転量調整だけで正確な混合比で湯・水を混合させることが可能になる。そして、このような確実な混合比の変更調整を、前面に凸平面、凹平面及び一対の斜面を形成した円盤状の弁体を採用するという単純な構造で実現させることが可能になる。
【００１１】
本発明の湯水混合弁においては、上記凸平面と、凹平面とを、上記中心軸を中心として点対称になる扇形領域にそれぞれ形成するようにすることができる(請求項２)。このようにすることにより、所望の混合比を実現させるための弁体の回転位置の変換調整を容易に行うことが可能になる。
【００１２】
又、本発明の湯水混合弁において、上記弁体に対し水入口孔及び湯入口孔から作用する湯・水の供給圧を少なくともキャンセルするように背圧を作用させる背圧手段をさらに備えるようにすることができる。そして、上記背圧手段として、上記弁体の後面に対し上記中心軸の軸方向に相対向するように配置された２以上のピストン部材と、上記水入口孔及び湯入口孔からの湯・水の供給圧を上記ピストン部材に対し背圧として導入する背圧導入孔とを備える構成にすればよい。(請求項３)。このようにすることにより、弁体の前面に作用する水入口孔や湯入口孔からの湯・水の供給圧をキャンセルさせて弁体の回転位置変換を軽い駆動力で容易に行うことが可能となり、弁体の回転位置調整の精度向上、ひいては混合比の精度向上を図ることが可能となる。
【００１３】
さらに、この背圧手段を備えた湯水混合弁に対し、上記弁体が回転駆動される際に発生する摩擦力を軽減抑制する摩擦切り手段をさらに備えるようにすることができる。この場合には、上記摩擦切り手段として、上記ピストン部材の側からの背圧を上記弁体の側に対し点接触状態で伝達する少なくとも３つのボール部材を備える構成とすればよい(請求項４)。このようにすることにより、弁体の回転抵抗となる摩擦を極力軽減抑制して、より軽い駆動力によって弁体の回転位置変換を行い得るようになり、弁体の回転位置調整のより一層の精度向上、混合比のより一層の精度向上を図ることが可能となる。
【発明の効果】
【００１４】
以上、説明したように、請求項１〜請求項４のいずれかの湯水混合弁によれば、水入口孔及び湯入口孔に相対向することになる弁体前面に凸平面、凹平面及び両者間を接続する一様傾斜の斜面を形成しているため、弁体の中心軸回りの回転量に対する湯・水の混合比の変化量を一定にすることができ、弁体の回転量調整だけで正確な混合比で湯・水を混合させることができるようになる。そして、このような確実な混合比の変更調整を、上記の如き前面形状を有する円盤状の弁体を採用するという単純な構造で実現させることができることとなる。
【００１５】
特に請求項２によれば、凸平面と凹平面とを中心軸を中心として点対称になる扇形領域にそれぞれ形成することにより、所望の混合比を実現させるための弁体の回転位置の変換調整を容易に行うことができるようになる。
【００１６】
又、請求項３によれば、背圧手段を備えることで、弁体の前面に作用する水入口孔や湯入口孔からの湯・水の供給圧をキャンセルさせて弁体の回転位置変換を軽い駆動力で容易に行うことができるようになり、弁体の回転位置調整の精度向上、ひいては混合比の精度向上を図ることができる。さらに、請求項４によれば、背圧手段を備えた湯水混合弁に対し摩擦切り手段をさらに備えることで、弁体の回転抵抗となる摩擦を極力軽減抑制して、より軽い駆動力によって弁体の回転位置変換を行うことができるようになり、弁体の回転位置調整のより一層の精度向上、混合比のより一層の精度向上を図ることができるようになる。
【発明を実施するための最良の形態】
【００１７】
以下、本発明の実施形態を図面に基づいて説明する。
【００１８】
図１は、本発明の実施形態に係る湯水混合弁の断面説明図を示す。同図において、符号２はハウジング、３はハウジング２内に区画形成された混合室、４は円盤形の弁体、５は中心軸である軸Ｘに沿って延びて先端部が上記弁体４と接続・固定され軸Ｘ回りに回転自在に保持されたシャフト、６はこのシャフト５を介して上記弁体４を回転位置変換させる回転駆動手段としてのモータ、７は上記弁体４に作用する水圧をキャンセルした上でさらに押圧付勢力を弁体４に作用させる背圧手段、８は弁体４の回転位置変換の際に発生する摩擦力を軽減抑制する摩擦切り手段である。
【００１９】
上記ハウジング２は、内部に混合室３を区画形成するために、一端側（図１の上側）が開口し他端側（同図の下側）が閉止された筒形ハウジング部２１と、この筒形ハウジング部２１の開口に内嵌してその開口を閉止するブロック部２２とを組み付けることにより形成されるようになっている。筒形ハウジング部２１の他端壁(ハウジング壁)２１１には、水が流入される水入口孔２３と、湯が流入される湯入口孔２４とが上記混合室３に連通するように貫通形成されている。水入口孔２３にはこの水入口孔２３に連通して水接続部２３１が設けられ、この水接続部２３１に対し図外の水供給管の下流端が連通接続されるようになっている。又、湯入口孔２４にもこの湯入口孔２４に連通して湯接続部２４１が設けられ、この湯接続部２４１に対し図外の湯供給管の下流端が連通接続されるようになっている。水供給管や湯供給管は湯又は水が背圧に基づき供給されるようになっており、後述の弁体４の回転位置変換により湯入口孔２４又は水入口孔２３が開かれると混合室３に流入するようになっている。上記の背圧とは水道管の供給圧のことであり、水道管からの水が上記水供給管に給水され、水道管からの給水が熱交換加熱された上で湯供給管に供給される場合が挙げられる。従って、水入口孔２３と湯入口孔２４とからは互いに同じ供給圧が作用する。又、上記筒形ハウジング部２１の周壁２１２には、水入口孔２３の孔壁に開口して周壁２１２をハウジング２の一端側にかけて延び、ブロック部２２内の後述の第１シリンダ孔部７１ａ(図２も併せて参照)の背圧室７２ａに連通する背圧導入孔７３ａが形成され、同様に、湯入口孔２４の孔壁に開口して周壁２１２をハウジング２の一端側にかけて延び、ブロック部２２内の後述の第２シリンダ孔部７１ｂの背圧室７２ｂに連通する背圧導入孔７３ｂが形成されている。
【００２０】
上記筒形ハウジング部２１の他端壁２１１の内面２１３は特に平坦度を高めた平坦面とされており、この内面２１３に対しそれぞれ内径がＤ（ｍｍ）の上記の水入口孔２３及び湯入口孔２４が軸Ｘを中心とする円周上の位置であって軸Ｘを挟んで軸対称となる各位置に開口されている。又、筒形ハウジング部２１の周壁２１２には混合後の湯水をハウジング２の外部に導出するための出口孔２５が貫通形成されている。
【００２１】
上記混合室３は、上記の筒形ハウジング部２１の他端壁２１１の内面及び周壁２１２の内周面と、ブロック部２２との間に区画形成されたものであり、上記他端壁２１１の内面２１３において上記の水入口孔２３及び湯入口孔２４が上記弁体４により選択的に開閉可能に連通し、周壁２１２において上記出口孔２５が常時連通状態にされている。
【００２２】
上記弁体４は、図３にも示すように、所定高さを有する扁平な円柱状又は円盤状に形成され、平坦面とされた後面(図１では上面，図３では下面)４１と、４種類の面形状を有し上記の筒形ハウジング２１の他端壁２１１の内面２１３に相対向する前面(図１では下面，図３では上面)４２と、異形孔(例えば平面視でＤの字形の孔形状)に形成された中心孔４３とを備えたものである。上記前面４２には、軸Ｘ方向に凸となる平坦面の凸平面４２１と、軸Ｘ方向に凹となる平坦面の凹平面４２２と、凸平面４２１から周方向両側に凹平面４２２にかけて連続する一対の斜面４２３，４２３とが形成されている。これら凸平面４２１と凹平面と一対の斜面４２３，４２３とは図４（ａ）にも示すように周方向にほぼ９０度ずつに等分割された扇形領域毎に形成され、凸平面４２１と凹平面４２２とは中心孔４３を挟んで相反する側に配置されている。各斜面４２３は、図４（ａ）に網目模様を付した面において矢印Ｋの周方向に対し一様勾配で傾斜して、凸平面４２１から凹平面４２２までの間を、軸Ｘを中心とするいずれの直径の円周線上においても展開すれば一直線の均等傾斜線となるように滑らかに接続している。
【００２３】
又、上記弁体４は、軸Ｘを中心として水入口孔２３及び湯入口孔２４の全てを覆う程度の直径を有し、軸Ｘを中心として回転位置変換することにより、凸平面４２１が水入口孔２３又は湯入口孔２４のいずれか一方の開口の全面に相対向すると、凹平面４２２が他方の開口の全面に相対向することになるように形成されている。そして、図１や図４（ｂ）に示すように、凸平面４２１が湯入口孔２４を覆って全閉状態にしたときには、凹平面４２２が水入口孔２３と相対向してその開口を全開状態となって、混合室３に対する湯入口孔２４からの湯の流入が完全に遮断される一方、水入口孔２３からの水の流入が全量許容されることになる。この状態の混合室３においては湯が限りなく０％で水が１００％の混合比となる。理論的には凸平面４２１と内面２１３との各平坦度を高めるほど密着性が向上し、完全密着により０％になる。又、この際、凹平面４２２と混合室３を区画する内面２１３との間の連通開口面積が、内径Ｄの水入口孔２３又は湯入口孔２４の開口面積と相等しくなるように、凸平面４２１と凹平面４２２との間の軸Ｘ方向の段差量Ｈが設定されている。つまり、凹平面４２２が水入口孔２３に相対向すると、水入口孔２３に供給される水がそれまでの供給流量のままで混合室３に流入する一方、凹平面４２２が湯入口孔２４に相対向すると、湯入口孔２４に供給される湯がそれまでの供給流量のままで混合室３に流入することになるようになっている。
【００２４】
さらに、弁体４が軸Ｘ回りに回転されて回転方向に対し斜面４２３，４２３の各中央位置が上記の水入口孔２３又は湯入口孔２４に相対向する状態(図５(ａ)，(ｂ)に示す状態)になると、水入口孔２３及び湯入口孔２４と混合室３との間の連通開口面積が互いに同じになる結果、混合室３に対する水入口孔２３からの水の流入流量と、湯入口孔２４からの湯の流入流量とが互いに等しくなって、混合室３では水と湯とが５０％ずつの混合比で混合されて出口２５から導出されることになる。そして、図４（ａ）の状態から図５(ａ)の状態に弁体４が回転位置変換する間は、上記の如く各斜面４２３が一様傾斜に形成されているため、例えば湯入口孔２４では混合室３への湯の流入比率０％の状態から斜面４２３が湯入口孔２４にオーバーラップして行くに従い湯の流入比率が０％から５０％にリニアに増加し、逆に水入口孔２３では混合室３への水の流入比率１００％の状態から斜面４２３が水入口孔２３にオーバーラップして行くに従い水の流入比率が１００％から５０％にリニアに減少して行くことになる。さらに、弁体４を図５(ａ)に図示の矢印の側に９０度分回転位置変換させると、上記の混合比が逆転して湯の流入比率が５０％から１００％に増加する一方、水の流入比率が５０％から０％まで減少することになる。要するに、弁体４の回転位置変換の回転量に比例して、混合室３での混合比がリニアに変更されることになるようになっている。
【００２５】
上記シャフト５は、基端側にセレーション部５１が形成され、先端側に上記弁体４の中心孔４３と対応した異形断面部(Ｄ形断面部)５２が形成され、中間部位がブロック部２２を貫通した状態で定位置回転可能に保持されている。そして、上記セレーション部５１を介して軸Ｘ回りの回転駆動力がモータ６から伝達され、中心孔４３に内嵌状態にされた上記異形断面部５２によって弁体４がシャフト５と共に一体回転されるようになっている。なお、上記の定位置回転可能に保持する構成としては、例えば、シャフト５に形成された周溝にＥリング５３を係合させ、このＥリング５３をブロック部２２と第１押板８１との間に挟み込んで定位置回転可能としている。その際、回転に伴いシャフト５に作用する摩擦を抑制・低減化させるために、Ｅリング５３のブロック部２２側に合成樹脂製のワッシャー５４を介装させるようにしている。
【００２６】
上記背圧手段７は、上記の第１シリンダ孔部７１ａ及び第２シリンダ孔部７１ｂのそれぞれに内装されたピストン部材７４ａ，７４ｂと、このピストン部材７４ａ，７４ｂを軸Ｘ方向に対し弁体４の側に押圧付勢するバネ７５ａ，７５ｂと、上記の背圧導入孔７３ａ，７３ｂとを備え、上記一対のピストン部材７４ａ，７４ｂが第１押板８１を弁体４の側に押圧するようになっている。又、摩擦切り手段８は、上記の第１押板８１と、この第１押板８１に対し弁体４側位置で相対向する第２押板８２と、第１押板８１及び第２押板８２の間に回転自在(転動自在)に介装された少なくとも３つのボール部材(例えばボールベアリング)８３，８３，…とを備えている。上記第１押板８１に対し２つのピストン部材７４ａ，７４ｂが軸Ｘ方向に対し前方側(図１の下方側)への押圧力を作用させ、この押圧力がそれぞれ点接触しているボール部材８３，８３，…を介して第２押板８２に伝達され、さらに、この第２押板８２が当接されている後面４１から弁体４に対しこの弁体４を前方側、つまり他端壁２１１の内面２１３の側に押圧する作用力として伝達される。この押圧付勢力により弁体４は上記内面２１３に密接しつつもその内面２１３に対し摺動して回転位置変換可能となっている。
【００２７】
又、上記の各ピストン部材７４ａ，７４ｂの直径ｄは、水入口孔２３又は湯入口孔２４の内径Ｄと同じになるように設定されており、背圧導入孔７３ａ，７３ｂを通して背圧室７２ａ，７２ｂに作用する水入口孔２３及び湯入口孔２４からの水及び湯の供給圧がピストン部材７４ａ，７４ｂに対し背圧として作用するようにしているため、水入口孔２３及び湯入口孔２４から弁体４が受ける供給圧が上記背圧との相殺によりキャンセルされることになる。従って、背圧手段７としては、バネ７５ａ，７５ｂを省略してもよいが、好ましくはバネ７５ａ，７５ｂを付加して上記背圧を上記供給圧よりも若干上回るように設定し、弁体４に対し弾性付勢力を作用させることにより凸平面４２１と内面２１３との相対向面同士の密接状態を確実に維持させるようにすればよい。
【００２８】
さらに、上記のボール部材８３，８３，…は第１押板８１と第２押板８２との間に介装されていればよいが、いずれか一方(図例では第２押板８２)に対し保持用の凹部又は円弧状の凹溝を設け、この凹部等に入れて転動自在又は滑動自在に保持させるようにするのが好ましい。又、摩擦切り手段８としては、ピストン部材７４ａ，７４ｂの側と、弁体４の側とを点接触状態で接合させることにより両者間の摩擦を切ることを主眼とするものであるため、ボール部材８３，８３，…は回転自在にしなくてもよいが、ボール部材８３，８３，…を回転自在(滑動自在)にすることで摩擦切りの機能をより高めることができることになる。この摩擦切り手段８による摩擦力の発生抑制又は低減化によって、弁体４の回転位置変換のための回転駆動力を大幅に低減させることができ、モータ６の負担の軽減化を図ることができる。又、これに加えて、上記の背圧手段７と摩擦切り手段８との組み合わせによって、弁体４を極めて軽い回転駆動力により回転位置変換させることができ、モータ６の負担軽減化のみならず、弁体４の回転位置調整を容易にしかも正確に行うことができるようになる。
【００２９】
以上の湯水混合弁によれば、前面４２に所定形状の４つの面(凸平面４２１、斜面４２３，４２３、凹平面４２２)を形成した円盤状の弁体４を用いるだけという単純な構造で、湯入口孔２４及び水入口孔２３の確実な全閉・全開の切換及び任意開度への確実な変更調整を行うことができ、これによって湯・水の任意の混合比への確実な変更調整を行うことができるようになる。すなわち、凸平面４２１及び他端壁２１１の内面２１３の平坦度については密接による閉止機能の観点から正確な加工が求められるものの、その凸平面４２１は軸Ｘを中心にして水入口孔２３や湯入口孔２４を覆い得る広さ(弁体４の直径)さえあれば、寸法精度上の精密さはさほど要求されることなく確実な湯水混合を担保し得るため、製造・組み付けも容易に行い得る。又、弁体４の軸Ｘ回りの回転量（回転角度、モータ６の作動ステップ）に応じて水入口孔２３からの水と湯入口孔２４からの湯との互いの流入比率(流入流量)をリニアに増・減させることができ、目標の混合比を実現させる上での作動制御が容易になる上に正確にもなる。つまり、モータ６の一定量の回転作動に対する流入比率(流入流量)の変化量を一定にすることができる。さらに、上述の如く、背圧手段７及び摩擦切り手段８を組み合わせることにより、弁体４の回転位置変換を軽い回転駆動力で滑らかに行うことができるようになり、モータ６の耐久性向上及び作動制御の精度向上のみならず、弁体４の回転位置の変更調整の精度向上、ひいては、混合比の変更調整の容易化及び精度向上を図ることができるようになる。
【００３０】
＜他の実施形態＞
なお、本発明は上記実施形態に限定されるものではなく、その他種々の実施形態を包含するものである。すなわち、上記実施形態では、凸平面４２１、斜面４２３，４２３、凹平面４２２の４つの面をそれぞれ周方向に略９０度ずつの扇形領域に形成しているが、これに限らず、凸平面４２１及び凹平面４２２がそれぞれ水入口孔２３又は湯入口孔２４に相対向した状態で覆い得る広さが確保できれば、凸平面４２１及び凹平面４２２を軸Ｘを挟んで点対称となるように９０度よりも小さい角度の扇形領域又は９０度よりも大きい角度の扇形領域に形成し、間の範囲に斜面４２３，４２３を一様傾斜にて形成するようにしてもよい。
【００３１】
上記実施形態では、２つのピストン部材７４ａ，７４ｂを用いて構成したが、これに限らず、例えば３つ又は４つあるいは５つ以上のピストン部材を周方向に均等配置にして設けるようにしてもよい。この場合には、全ピストン部材の合計押圧面積が水入口孔２３及び湯入口孔２４の合計開口面積に等しくなるようにすればよい。
【００３２】
さらに、弁体４とシャフト５とを一体に形成したり、モータ６からの回転駆動力を減速機構を介して伝達させたり、回転駆動手段としてモータ６以外の駆動源を用いたり、あるいは、第２押板８２を省略してボール部材８３，８３，…を弁体４の後面４１に保持させたり、するようにしてもよい。
【００３３】
なお、上記実施形態では湯と水との２種類を所定流量比率で混合するための湯水混合弁として説明したが、湯と水との２種類には限らず、性質・特性等の異なる２種類の流体を所定流量比率で混合するために用いることも可能である。
【００３４】
上記の背圧手段７、あるいは、背圧手段７及び摩擦切り手段８を、上記実施形態の弁体４に組み合わせるのではなくて、他の弁体に組み合わせて水入口孔及び湯入口孔からの湯・水の供給圧をキャンセルして平衡状態にさせたり、上記他の弁体の切換変換作動の際の摩擦を軽減抑制させたりする用途に用いるようにしてもよい。
【図面の簡単な説明】
【００３５】
【図１】本発明の実施形態を示す断面説明図である。
【図２】図１のＡ−Ａ線における拡大断面説明図である。
【図３】弁体を図１の状態とは天地を逆転した状態で示す拡大斜視図である。
【図４】図４（ａ）は図３に図示された状態の弁体の平面説明図であり、図４（ｂ）は図４（ａ）のＢ−Ｂ線における断面説明図である。
【図５】図５(ａ)は図４（ａ）の状態から９０度反時計回りに回転さた状態の弁体の平面説明図であり、図５(ｂ)は図５(ａ)のＣ−Ｃ線における断面説明図である。
【図６】本発明と対比される湯水混合弁の断面説明図である。
【符号の説明】
【００３６】
２        ハウジング
３        混合室
４        弁体
６        モータ(回転駆動手段)
７        背圧手段
８        摩擦切り手段
２３      水入口孔
２４      湯入口孔
２５      出口
４２      弁体の前面
７３ａ，７３ｂ  背圧導入孔
７４ａ，７４ｂ  ピストン部材
２１１    他端壁(ハウジング壁)
２１３    内面
４２１    凸平面
４２２    凹平面
４２３    斜面
Ｘ        軸(中心軸)
【図１】
2008138824.tif 000003
【図２】
2008138824.tif 000004
【図３】
2008138824.tif 000005
【図４】
2008138824.tif 000006
【図５】
2008138824.tif 000007
【図６】
2008138824.tif 000008